(57)【要約】    【課題】  コンパクト化や低コスト化が可能な形で電磁石への供給電力を低減できるようにする。    【解決手段】  先羽根駆動レバー３と後羽根駆動レバー４がチャージ完了位置（オーバーチャージ位置）から露光作動開始位置まで移動した段階で、先羽根用電磁石１１と後羽根用１２への供給電力を低減する。【選択図】      図６
2005283897.tif 000002
【特許請求の範囲】
【請求項１】
機械的にオーバーチャージされている先羽根、及び後羽根を電磁石により吸着して所定位置に移動してチャージした後に釈放する電磁石釈放型のフォーカルプレンシャッタにおいて、
前記先羽根、及び後羽根が前記所定位置に移動した後に前記電磁石への供給電力を低減するように制御する制御手段を設けたことを特徴とするフォーカルプレンシャッタ。
【請求項２】
前記制御手段は、前記先羽根、及び後羽根が前記所定位置に移動した後に該先羽根、後羽根にそれぞれ対応する前記電磁石への供給電力を同時に低減することを特徴とする請求項１に記載のフォーカルプレンシャッタ。
【請求項３】
前記制御手段は、前記先羽根、及び後羽根が前記所定位置に移動した後に該先羽根に対応する前記電磁石への電力供給を停止して該先羽根を走行させ、その後、該後羽根に対応する前記電磁石への供給電力を低減することを特徴とする請求項１に記載のフォーカルプレンシャッタ。
【請求項４】
機械的にオーバーチャージされている先羽根、及び後羽根を電磁石により吸着して所定位置に移動してチャージした後に釈放する電磁石釈放型のフォーカルプレンシャッタの制御方法において、
前記先羽根、及び後羽根が前記所定位置に移動した後に前記電磁石への供給電力を低減するように制御することを特徴とするフォーカルプレンシャッタの制御方法。
【請求項５】
請求項１〜３の何れかに記載のフォーカルプレンシャッタを備えたことを特徴とするカメラ。
【請求項６】
請求項１〜３の何れかに記載の制御内容を有することを特徴とする制御プログラム。
【発明の詳細な説明】
【技術分野】
【０００１】
本発明は、フォーカルプレンシャッタ、特にチャージ状態にある先羽根（先幕）、後羽根（後幕）の保持を対応する電磁石への通電オフで解除して先羽根、後羽根を走行させる電磁石釈放型のフォーカルプレンシャッタの制御技術に関する。
【背景技術】
【０００２】
この種のフォーカルプレンシャッタでは、通常、先羽根、後羽根を走行させるための駆動ばねの付勢力に抗して先羽根、後羽根を駆動する各駆動部材にそれぞれ鉄片を設け、非撮影時には各駆動部材をチャージ部材により駆動して先羽根、後羽根を蓄勢状態（チャージ状態）で保持し、撮影時には各鉄片を対応する電磁石で吸着することにより先羽根、後羽根をチャージ状態で保持し、その後、各電磁石への通電を順次オフすることにより、先羽根、後羽根を順次走行させて露光を行っている。
【０００３】
また、この種のフォーカルプレンシャッタにおいて、各鉄片を対応する各駆動部材に固定せず、圧縮ばねを介在させて取り付けるようにし、各鉄片を対応する電磁石に接触させたい時点よりも圧縮ばねを若干圧縮する程度に各駆動部材を作動させて、各鉄片が対応する電磁石に確実に接触するようにしたものが知られている。この種のフォーカルプレンシャッタでは、チャージ完了状態においては、各駆動部材は露光作動開始位置を越えた位置にあり、その分だけ上記の各駆動ばねを所謂オーバーチャージし、また、鉄片と電磁石との接触以後に圧縮ばねを緊張させた状態にしている。
【０００４】
そして、撮影時に各電磁石に通電した後にチャージ部材を初期位置に復帰させると、すなわち、先羽根、後羽根のチャージ状態での保持を機械的保持から電磁気的な保持に切り換えると、各駆動部材は、夫々、オーバーチャージされている各駆動ばねの付勢力と緊張させられた圧縮ばねの付勢力とによって、オーバーチャージ位置から僅かに作動させられ、電磁石によって吸着されている鉄片によってその作動を阻止されて停止する。この停止位置が各駆動部材にとっての露光作動開始位置となる。
【０００５】
この場合、電磁石による鉄片の吸着力が十分でないと、各駆動部材は、露光作動開始位置で停止せずに羽根と共に暴走してしまうことになる。そのため、従来は、各電磁石に対する供給電力を必要以上に大きくしていた。しかし、最近のようにカメラの電動化が進んでくると、構造的には多少の複雑性を伴ったとしても、各電磁石に対する供給電力を如何にして少なくてして電池の交換頻度を低減するかが大きな課題となり、この課題に対する各種の解決策が提案されている（特許文献１〜６参照）。
【特許文献１】特開平９−３０４８０７号公報
【特許文献２】特開平９−３０４８０８号公報
【特許文献３】特開平１０−４８６９９号公報
【特許文献４】特開２０００−７５３５６号公報
【特許文献５】特開２００１−４２３８７号公報
【特許文献６】特開２００１−１８８２７９号公報
【発明の開示】
【発明が解決しようとする課題】
【０００６】
しかし、上記の各公報に係る発明は、何れも機構的な改善による対策であり、機構が複雑化してコンパクト化や低コスト化を図ることが困難となる。
【０００７】
そこで、本発明は、コンパクト化や低コスト化が可能な形で電磁石への供給電力を低減し得るフォーカルプレンシャッタ、その制御方法を提供することを目的とする。
【課題を解決するための手段】
【０００８】
上記目的を達成するため、本発明は、機械的にオーバーチャージされている先羽根、及び後羽根を電磁石により吸着して所定位置に移動してチャージした後に釈放する電磁石釈放型のフォーカルプレンシャッタにおいて、前記先羽根、及び後羽根が前記所定位置に移動した後に前記電磁石への供給電力を低減するように制御する制御手段を設けている。
【発明の効果】
【０００９】
本発明によれば、コンパクト化や低コスト化が可能な形で電磁石への供給電力を低減し得るフォーカルプレンシャッタ、その制御方法を提供することが可能となる。
【発明を実施するための最良の形態】
【００１０】
［第１の実施形態］
以下、本発明を実施するための最良の形態を図面に基づいて説明する。
【００１１】
図１、図２は、フォーカルプレンシャッタ（以下、シャッタと称する）１６をカメラに組み込んだ状態を示す平面図であり、被写体側から視た場合の略左半分だけを示しており、図１はチャージ完了状態（オーバーチャージ状態：機械的にオーバーチャージされている状態）を示し、図２はレリーズ後に羽根駆動系の部材が露光作動開始位置で停止した状態（電気的にチャージされている状態）を示している。なお、以降の説明においては、被写体側を表面側と称し、フィルム面等の結像面側を背面側と称することにする。
【００１２】
図１、図２に示したように、シャッタ地板１には露光用の開口部１ｄが形成されており、シャッタ地板１の背面側には開口部１ｄを開放する先羽根群１５と、開口部１ｄを閉成する不図示の後羽根群等が配置されている。また、シャッタ地板１の表面側には、軸１ａ，１ｂ，１ｃが立設されている。また、開口部１ｄの左側には、円弧状の２つの長孔１ｅ，１ｆが形成されており、それら２つの長孔１ｅ，１ｆの下方端部には、それぞれ平面形状がＣの字状の緩衝部材１３，１４が取り付けられている。
【００１３】
軸１ｂには先羽根駆動レバー３が回転可能に取り付けられ、この先羽根駆動レバー３には先羽根駆動ピン３ｂが一体的に形成されている。この先羽根駆動ピン３ｂは、シャッタ地板１の長孔１ｅを貫通して不図示の先羽根群のアームと連結されており、不図示の先羽根駆動ばねによって時計方向へ回転するように付勢されていている。
【００１４】
軸１ｃには後羽根駆動レバー４が回転可能に取り付けられ、この後羽根駆動レバー４には後羽根駆動ピン４ｂが一体的に形成されていている。この後羽根駆動ピン４ｂは、シャッタ地板１の長孔１ｆを貫通して不図示の後羽根群のアームと連結されており、不図示の後羽根駆動ばねによって時計方向へ回転するように付勢されていている。また、軸１ａには先羽根駆動レバー３、後羽根駆動レバー４をそれぞれ先羽根駆動ばね、後羽根駆動ばねの付勢力に抗してチャージを行うチャージレバー２が回転可能に取り付けられている。
【００１５】
チャージレバー２は、カメラ本体側のミラー駆動レバー２４（図３参照）によってピン部２ａが時計方向へ回転させられることで押動部２ｂ、２ｃが各々被押動部３ａ、４ａを押して、先羽根駆動レバー３、後羽根駆動レバー４のチャージを行なう。
【００１６】
先羽根駆動レバー３の取付部３ｃは、表面側に大きく隆起しており、図１、図２においては、取付部３ｃを破断した状態で示している。この取付部３ｃには、鉄片６が圧縮ばね７を介して取り付けられている。すなわち、鉄片６は、頭部５ａを有する軸部材５の他端に取り付けられ、軸部材５の頭部５ａと鉄片６の間に設けられた圧縮ばね７によって取付部３ｃ内から外部へ突き出すように付勢されている。この場合、頭部５ａが取付部３ｃに当接することによって、鉄片６は、それ以上は取付部３ｃから突き出されないようになっている。
【００１７】
後羽根駆動レバー４も先駆動レバー３と同様に構成され、後羽根駆動レバー４の取付部４ｃは、表面側に大きく隆起している。この取付部４ｃには、鉄片９が圧縮ばね１０を介して取り付けられている。すなわち、鉄片９は、頭部８ａを有する軸部材８の他端に取り付けられ、軸部材８の頭部８ａと鉄片９の間に設けられた圧縮ばね１０によって取付部４ｃ内から外部へ突き出すように付勢されている。この場合、頭部８ａが取付部４ｃに当接することによって、鉄片９は、それ以上は取付部４ｃから突き出されないようになっている。
【００１８】
また、シャッタ地板１の表面側には、所定の間隔を空けてシャッタ地板１と平行に支持板（図示省略）が取り付けられており、その支持板には、先羽根用電磁石１１と後羽根用電磁石１２が取り付けられている。これら電磁石１１，１２は、それらのコイルへの通電により鉄片６，９を吸着するようになっている。
【００１９】
図１は、チャージレバー２によって先羽根駆動レバー３と後羽根駆動レバー４がチャージを完了した状態を示しているが、そのチャージ完了直前には電磁石への通電オフ状態で鉄片６、９と電磁石１１、１２が密着し始め、その後、更に先羽根駆動レバー３、と後羽根駆動レバー４がチャージされて、圧縮ばね７、１０が更にチャージされた状態でチャージが完了となる。
【００２０】
図２は、チャージ完了後にカメラのレリーズ動作に応動して電磁石１１、１２に通電されて鉄片６、９が電磁石１１，１２に吸着された後に、チャージレバー２が初期位置に戻って、不図示の先羽根駆動ばね、後羽根駆動ばねによって先羽根駆動レバー３、後羽根駆動レバー４が露光作動開始位置まで回動して一旦停止した状態を示している。
【００２１】
図１の状態から図２の状態に移行する際には、軸部材５に形成された頭部５ａが先羽根駆動レバー３の取付部３ｃに衝突し、軸部材５に形成された鉄片６には瞬間的に大きな衝撃力が作用することになる。同様に、後羽根駆動レバー４においても、図１の状態から図２の状態に移行する際には、軸部材８に形成された頭部８ａが後羽根駆動レバー４の取付部４ｃに衝突し、軸部材８に形成された鉄片９には瞬間的に大きな衝撃力が作用することになる。
【００２２】
従って、電磁石１１，１２による鉄片６、９の吸着力が十分でないと、先羽根駆動レバー３、後羽根駆動レバー４は、露光作動開始位置で停止せずに先羽根、後羽根と共に暴走してしまうことになる。そこで、本実施形態では、図１の状態から図２の状態に移行する際には、電磁石１１、１２のコイルには、十分な吸着力が発生するように有る程度大きな電力を供給している。ただし、後述するように、図２の状態に移行した後は、電磁石１１、１２のコイルに供給する電力を低減するようにしている。
【００２３】
図３は、チャージ機構の分解斜視図であり、このチャージ機構によりチャージレバー２を駆動してシャッタ１６を走行完了状態から走行開始側にチャージし、レリーズ時にはチャージレバー２をチャージ前の初期位置に復帰させるようにしている。
【００２４】
シャッタ地板１は、不図示のカメラ本体のミラーボックスに固定されており、主ミラー２５は、軸部２５ｂを中心に回動することにより、ミラーボックス内において撮影光路に対して進退する。ミラー駆動レバー２４は、軸嵌合部２４ａを中心に回動可能にミラーボックスの側面に支持され、凸部２４ｆにて主ミラー２５の軸部２５ａと摺接し、凸部２４ｄ，２４ｅにてチャージレバー２のピン部２ａと係合している。また、ミラー駆動レバー２４の係合部２４ｂ，２４ｃは、伝達レバー２３のピン部２３ｂと係合している。この伝達レバー２３は、コロ２３ａを有し、このコロ２３ａを介して伝達ギヤ２２により回動される。
【００２５】
主ミラー２５は、不図示の主ミラーばねによって下がる方向に付勢されており、ミラー駆動レバー２４は、主ミラー２５を跳ね上げる方向に不図示のミラー跳ね上げばねによって付勢されている。このミラー跳ね上げばねの付勢力としては、主ミラーばねの付勢力に抗して主ミラー２５を跳ね上げる強い付勢力が設定されている。
【００２６】
カメラ本体側のモータＭから伝達ギヤ２１，２２、伝達レバー２３を介して伝達される駆動力によってミラー駆動レバー２４を回動させることにより、主ミラー２５とチャージレバー２を駆動して主ミラー２５とシャッタ１６をチャージすることができる。
【００２７】
ミラー駆動レバー２４でシャッタ１６をチャージすると、主ミラー２５は、主ミラーばねの付勢力によって下がって撮影前の状態となる。また、レリーズすると、モータＭが駆動し伝達ギヤ２２のカムトップ２２ａから伝達レバー２３のコロ２３ａが落ち、ミラー駆動レバー２４がミラー駆動ばねの付勢力によって主ミラー２５を上方向に跳ね上げると同時に、シャッタのチャージレバー２を初期位置に戻すように作動することになる。
【００２８】
図４は、カメラ内部の電気的な構成を示すブロック図である。図４において、３０はカメラ全体の制御を司るＣＰＵである。３１は各種のカメラ機能データや、各種レンズ情報等を記憶するＥＥＰＲＯＭであり、このＥＥＰＲＯＭ３１には、後述する図６、図７のフローチャートに対応するアプリケーションプログラムも格納されている。
【００２９】
３２は、カメラ本体を起動させるメインスイッチであり、３６は不図示のレリーズ釦が第１ストローク位置まで押下された際にＯＮし、測光、焦点検出動作等を開始する第１スイッチであり、３７はレリーズ釦が第２ストローク位置まで押下された際にＯＮし、露光のためのレリーズ動作を起動する第２スイッチである。３８は測光センサ、３９は公知のＣＣＤラインセンサを用いた測距センサ、４５はカメラ本体にフィルムが装填されているか否かを検知するフィルム在否スイッチである。４０は外部表示ＬＣＤ４１に各種の表示を行うための外部表示ＬＣＤ駆動回路である。
【００３０】
４２はシャッタ制御回路であり、シャッタ１６の先羽根群１５をチャージ状態で保持する先羽根用電磁石１１とシャッタ１６の後羽根群をチャージ状態で保持する後羽根用電磁石１２への電力供給制御を行っている。このシャッタ制御回路４２は、後述するように、ＣＰＵ３０の制御の下に、先羽根用電磁石１１、後羽根用電磁石１２への供給電力を可及的に低減するように電力供給制御を行っている。
【００３１】
Ｍはモータであり、モータ制御回路４４からの制御信号に基づいて主ミラー２５やチャージレバー２をレリーズ前の状態に戻すためのチャージ駆動やフィルム４６の駒送り等を行う。また、モータＭは、第２スイッチ３７のＯＮに連動して主ミラー２５をアップさせて、チャージレバー２を初期位置まで戻す機能も有している。４３は電子ブザーであり、各種の警告や作動状態を音で報知するために利用される。
【００３２】
図５は、先羽根用電磁石１１、後羽根用電磁石１２への供給電力を低減するように変更するためのシャッタ制御回路４２の構成例を示した図である。なお、図５では、電磁石１１（そのコイル）だけを図示しているが、電磁石１２の場合も同様である。
【００３３】
図５（ａ）は、電池Ｅからの入力電圧を降圧するダウンコンバータ４２ａと、ダウンコンバータ４２ａの出力電圧の設定値を変更する設定電圧可変部４２ｂを備え、先羽根用電磁石１１のコイルに供給する電圧を設定電圧可変部４２ｂにより可変させることで、コイルに流れる電流を変更するように構成した例である。なお、ダウンコンバータ４２ａの代わりに昇圧型のコンバータを使用することも可能である。
【００３４】
図５（ｂ）は、電磁石１１のコイルとＧＮＤ間に抵抗Ｒ１とトランジスタＴｒ２、抵抗Ｒ２とトランジスタＴｒ３を並列に接続し、ＣＰＵ３０によりトランジスタＴｒ２、トランジスタＴｒ３の何れか一方を選択してＯＮすることで、電池Ｅから先羽根用電磁石１１に供給する電力を変更するように構成した例である。
【００３５】
図５（ｃ）は、ＦＥＴに印加するゲート電圧ＶｏをＣＰＵ３０の制御の下にＤＡコンバータ４２Ｃによって変更することで、電池Ｅから先羽根用電磁石１１に供給する電力を変更するように構成した例である。なお、図５（ａ）〜（ｃ）以外の他の手法で電磁石１１、１２への供給電力を変更するようにしてもよい。
【００３６】
次に、第１の実施形態に係るシャッタ制御を、図６のフローチャートに基づいて説明する。
【００３７】
ＣＰＵ３０は、レリーズ操作が行われると、すなわち、レリーズ釦が第２ストローク位置まで押下され第２スイッチ３７がＯＮされると（ステップＳ１０１）、シャッタ制御回路４２によりシャッタ１６の電磁石１１、１２への通電を開始させると共に（ステップＳ１０２）、モータ制御回路４４によりモータＭへの通電も実行させる（ステップＳ１０３）。
【００３８】
ステップＳ１０３でのモーターＭへの通電によって、モーターＭが回転するのに連動して伝達ギヤ２１、２２が回転し、伝達レバー２３、及びミラー駆動レバー２４が不図示のミラー跳ね上げばねの付勢力で回動して主ミラー２５をアップ位置まで跳ね上げる（ステップＳ１０４）。また、上記のようにミラー駆動レバー２４が回動することにより、シャッタ１６のチャージレバー２が初期位置に戻ることとなる（ステップＳ１０５）。
【００３９】
この段階では、シャッタ１６の電磁石１１、１２の鉄芯と鉄片６、９は吸着しており、シャッタ１６の先羽根駆動レバー３と後羽根駆動レバー４は、チャージ完了位置（オーバーチャージ位置）から露光作動開始位置まで移動して一旦停止した状態となっている。先羽根駆動レバー３と後羽根駆動レバー４が露光作動開始位置で停止する際には、電磁石１１、１２の鉄芯及び鉄片６、９には、シャッタ１６の駆動ばね等の付勢力によって瞬間的に大きな衝撃力が作用し、電磁石１１、１２による吸着力が十分でないと、先羽根駆動レバー３及び後羽根駆動レバー４は、露光作動開始位置で停止せずに暴走してしまう虞があるので、そのような事態を回避するため、ＣＰＵ３０は、ステップＳ１０２の段階では、或る程度大きな電力を電磁石１１、１２に供給するようにシャッタ制御回路４２を制御している。
【００４０】
ＣＰＵ３０は、主ミラー２５のアップ動作が終了し（ステップＳ１０６）、レンズの絞り制御や合焦制御が終了すると（ステップＳ１０７）、電磁石１１、１２への供給電力を低減するようにシャッタ制御回路４２を制御する（ステップＳ１０８）。そして、ＣＰＵ３０は、露光を開始するために先羽根用電磁石１１への通電をカットする。この先羽根用電磁石１１への通電カットにより、先羽根用電磁石１１の鉄芯から先羽根駆動レバー３の鉄片６が離れて先羽根群１５が不図示の先羽根駆動ばねの付勢力によって走行し、露光が開始される（ステップＳ１１０）。
【００４１】
ＣＰＵ３０は、所定の露光時間が経過すると（ステップＳ１１１）、後羽根用電磁石１２への通電をカットする（ステップＳ１１２）。この後羽根用電磁石１２への通電カットにより、後羽根用電磁石１２の鉄芯から先羽根駆動レバー４の鉄片９が離れて後羽根群が不図示の後羽根駆動ばねの付勢力によって走行し（ステップＳ１１３）、露光が終了する（ステップＳ１１４）。
【００４２】
ＣＰＵ３０は、露光が終了すると、モータＭに通電することにより、シャッタ１６のチャージと主ミラー２５のチャージを行うと共に、フィルム４６の駒送りを行い（ステップＳ１１５）、次のレリーズ操作に対するスタンバイ状態に入る（ステップＳ１１６）。
【００４３】
このように、先羽根駆動レバー３と後羽根駆動レバー４がチャージ完了位置（オーバーチャージ位置）から露光作動開始位置まで移動した段階で、先羽根用電磁石１１と後羽根用１２への供給電力を低減することにより、電池Ｅの消費電力を低減することができ、電池Ｅの交換頻度を低減することが可能となる。特に、露光時間が長くなる天体撮影等では、後羽根用電磁石１２への電力供給を大幅に低減することができ、電池Ｅの消費電力を大幅に低減することが可能となる。換言すれば、機構的な改善を行うことなく、電気的な制御だけで電磁石への供給電力を低減しており、コンパクト化や低コスト化が阻害されることはない。
【００４４】
［第２の実施形態］
次に、第２の実施形態に係るシャッタ制御を、図７のフローチャートに基づいて説明する。ただし、ここでは、第１の実施形態に係る図６のフローチャートとの相違点だけを簡単に説明する。
【００４５】
ＣＰＵ３０は、主ミラー２５のアップ動作が終了し（ステップＳ２０６）、レンズの絞り制御や合焦制御が終了すると（ステップＳ２０７）、第１の実施形態のように、この段階で電磁石１１、１２への供給電力を低減するようにシャッタ制御回路４２を制御するのではなく、まず、露光を開始するために先羽根用電磁石１１への通電をカットし（ステップＳ２０８）、先羽根群１５を走行させて、露光を開始させる（ステップＳ２０９）。
【００４６】
そして、ＣＰＵ３０は、後羽根用電磁石１２への供給電力を低減するようにシャッタ制御回路４２を制御する（ステップＳ２１０）。その後は、ＣＰＵ３０は、第１の実施形態と同様の制御を行う（ステップＳ２１１〜Ｓ２１６）。
【００４７】
このように、第１の実施形態では、先羽根駆動レバー３と後羽根駆動レバー４がチャージ完了位置（オーバーチャージ位置）から露光作動開始位置まで移動し、主ミラー２５のアップ動作が終了し、レンズの絞り制御や合焦制御が終了した段階で、電磁石１１、１２への供給電力を低減していたのに対し、第２の実施形態では、先羽根用電磁石１１への通電をカットして先羽根群１５を走行させた後に後羽根用電磁石１２への供給電力を低減することにより、電池Ｅの消費電力を低減している。
【００４８】
なお、第２の実施形態のように先羽根群１５を走行させた後に後羽根用電磁石１２への供給電力を低減する場合は、後羽根用電磁石１２への供給電力を低減する時点では先羽根群１５の走行が既に完了しており、その後はシャッタ１６には殆ど機械的な振動が加わらなくなるので、後羽根用電磁石１２への供給電力の低減率をある程度大きくしても、後羽根用電磁石１２の鉄芯と後羽根駆動レバー４上の鉄片９との吸着状態を保持することができる。
【００４９】
なお、本発明の目的は、上記実施形態の機能を実現するソフトウェアのプログラムコードを記録した記憶媒体（または記録媒体）を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００５０】
この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム(ＯＳ)などが実際の処理の一部または全部を行い、その処理によって前述した実施形態の機能が実現される場合も含まれることは言うまでもない。
【００５１】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。本発明を上記記憶媒体に適用する場合、その記憶媒体には、先に説明した（図６、図７に示す）フローチャートに対応するプログラムコードが格納されることになる。
【図面の簡単な説明】
【００５２】
【図１】フォーカルプレンシャッタをカメラに組み込んだ状態を示す平面図である（チャージ完了状態：オーバーチャージ状態）。
【図２】フォーカルプレンシャッタをカメラに組み込んだ状態を示す平面図である（露光作動開始位置へ移動した状態：チャージ状態）。
【図３】チャージ機構の分解斜視図である。
【図４】本発明を適用したカメラの電気的な構成を示すブロック図である。
【図５】シャッタ制御回路の構成例を示す回路図である。
【図６】本発明の第１の実施形態に係るシャッタ制御を示すフローチャートである。
【図７】本発明の第２の実施形態に係るシャッタ制御を示すフローチャートである。
【符号の説明】
【００５３】
２…チャージレバー、３…先羽根駆動レバー、４…後羽根駆動レバー、６,９…鉄片、７,１０…圧縮ばね、１１…先羽根用電磁石、１２…後羽根用電磁石、１５…先羽根群、１６…シャッタ、３０…ＣＰＵ、３１…ＥＥＰＲＯＭ、４２…シャッタ制御回路、４４…モーター制御回路、Ｅ…電池
【図１】
2005283897.tif 000003
【図２】
2005283897.tif 000004
【図３】
2005283897.tif 000005
【図４】
2005283897.tif 000006
【図５】
2005283897.tif 000007
【図６】
2005283897.tif 000008
【図７】
2005283897.tif 000009